(57)【特許請求の範囲】
【請求項１】
種子サンプルがＡＴＣＣ受託番号ＰＴＡ−１２１０８９として寄託されている、Ｓ３７と命名されたゴマ品種の種子。
【請求項２】
種子サンプルがＡＴＣＣ受託番号ＰＴＡ−１２１０８９として寄託されているゴマ品種Ｓ３７の種子を栽培することによって生産されたゴマ植物。
【請求項３】
請求項２に記載のゴマ植物の花粉。
【請求項４】
明細書の表ＩＩに記載の、改善された非裂開視覚的評定（特性番号２５）および改善された非裂開試験（特性番号２６）に関する少なくとも一つの特性を有し、種子サンプルがＡＴＣＣ受託番号ＰＴＡ−１２１０８９として寄託されているゴマ品種Ｓ３７の種子に由来するゴマ植物。
【請求項５】
明細書の表ＩＩに記載の、振盪機粉砕耐性（特性番号２２）、複合枯死耐性（特性番号３４）、および生理学的成熟までの日数（特性番号２９）に関する特性をさらに有する、請求項４に記載のゴマ植物。
【請求項６】
明細書の表ＩＩに記載の、種子の色（特性番号３２）、植物体全体からの１００個の種子の重量（特性番号３３）、および種子油の含有量（特性番号４５）に関する特性をさらに有する、請求項４または５に記載のゴマ植物。
【請求項７】
明細書の表ＩＩに記載の、葉腋当たりのさく果の数（特性番号２）、さく果当たりの心皮の数（特性番号１６）、さく果の長さ（特性番号１７）、さく果当たりのさく果の重量（特性番号１９）、およびさく果の１ｃｍ当たりのさく果の重量（特性番号２０）に関する特性をさらに有する、請求項４〜６のいずれか一項に記載のゴマ植物。
【請求項８】
明細書の表ＩＩに記載の特性番号１〜４５に関する特性を全て有する、請求項４〜７のいずれか一項に記載のゴマ植物。
【請求項９】
種子サンプルがＡＴＣＣ受託番号ＰＴＡ−１２１０８９として寄託されているゴマ品種Ｓ３７の種子から生産された再分化可能細胞の組織培養物。
【請求項１０】
種子サンプルがＡＴＣＣ受託番号ＰＴＡ−１２１０８９として寄託されているゴマ品種Ｓ３７の種子を栽培することによって生産されたゴマ植物Ｓ３７から生産された再分化可能細胞の組織培養物。
【請求項１１】
種子サンプルがＡＴＣＣ受託番号ＰＴＡ−１２１０８９として寄託されているゴマ品種Ｓ３７の種子から生産された再分化可能細胞の組織培養物から再分化したゴマ植物であって、前記ゴマ品種Ｓ３７の全ての生理学的および形態学的特性を有する、再分化したゴマ植物。
【請求項１２】
種子サンプルがＡＴＣＣ受託番号ＰＴＡ−１２１０８９として寄託されているゴマ品種Ｓ３７の種子を栽培することによって生産されたゴマ植物から生産された再分化可能細胞の組織培養物から再分化したゴマ植物であって、前記ゴマ品種Ｓ３７の全ての生理学的および形態学的特性を有する、再分化したゴマ植物。
【請求項１３】
第一の親ゴマ植物と第二の親ゴマ植物を交配することおよび生じたゴマ種子を収穫することを含んでなり、前記第一または第二の親ゴマ植物が、種子サンプルがＡＴＣＣ受託番号ＰＴＡ−１２１０８９として寄託されているゴマ品種Ｓ３７の種子を栽培することによって生産されたものである、ゴマ種子の生産方法。
【請求項１４】
第一の親ゴマ植物と第二の親ゴマ植物を交配することを含んでなり、前記第一または第二の親ゴマ植物が、種子サンプルがＡＴＣＣ受託番号ＰＴＡ−１２１０８９として寄託されているゴマ品種Ｓ３７の種子を栽培することによって生産されたものである、ゴマ植物の生産方法。
【発明の詳細な説明】
【背景技術】
【０００１】
関連出願の相互参照
本出願は、２０１４年３月１８日に出願された米国仮出願第６１／９５４，７１０号の利益を主張する。
【０００２】
連邦政府資金による研究開発の記載
適用せず
【０００３】
技術分野
本発明は、機械化収穫に適当な改善された非裂開性（ＩＮＤ）を有する新規ゴマ(Sesamum indicum L.)品種に関する。
【０００４】
発明の背景
ゴマまたはSesamum indicumは、その油およびナッツフレーバーを目的に世界中で栽培されている熱帯性一年生植物である。ゴマ植物は約５２〜２４９ｃｍの高さまで生長し、葉腋に、ゴマ種子を含有するさく果が見られる。自然状態で成熟すると、ゴマ種子を保持しているさく果はドライダウンを始め、さく果は通常裂開し、種子が落ちる。商業的には、収穫者は成熟したさく果からできる限り多くの種子を採集しようとする。古くから今日まで、種子を上手く採集する試みにおいて、このさく果の裂開が主要な要因となってきた。収穫方法、天候および植物の特徴は全て種子の回収量に影響を与える。
【０００５】
世界のゴマの大多数は成熟状態で収穫される。手作業による非機械的方法では、ゴマ種子が植物から容易に落ちることが望ましい。手による収穫は労働集約的である。収穫を機械化するまたは部分的に機械化する試みの成功は限定されたものである。
【０００６】
Ｄｅｒａｌｄ  Ｒａｙ  Ｌａｎｇｈａｍにより非裂開性（ＮＤ）ゴマが開発され、特許請求された際にブレークスルーが果たされた。ＮＤゴマは、従来品種で報告されていた種子損失の欠点なく機械的収穫を可能とする適切な特徴を有することが分かった。
【０００７】
米国特許第６，１００，４５２号；米国特許第６，８１５，５７６号；米国特許第６，７８１，０３１号；米国特許第７，１４８，４０３号；米国特許第７，３３２，６５２号；および米国特許第８，００３，８４８号はそれぞれ、様々な特徴を有する非裂開性（ＮＤ）ゴマ栽培品種を開示し、特許請求している。
【０００８】
米国特許第７，８４７，１４９号；米国特許第７，８５５，３１７号；米国特許第７，９６４，７６８号；米国特許第８，０５８，５０３号；米国特許第８，０８０，７０７号；米国特許第８，２０７，３９７号；米国特許第８，５０７，７５０号；米国特許第８，５８１，０２６号；および米国特許第８，５８６，８２３号はそれぞれ、様々な特徴を有する改善された非裂開性（ＩＮＤ）ゴマ栽培品種を開示し、特許請求している。
【発明の概要】
【０００９】
代表的種子が２０１４年３月１３日にアメリカン・タイプ・カルチャー・コレクション（ＡＴＣＣ）特許寄託機関にＡＴＣＣ受託番号ＰＴＡ−１２１０８９として寄託されている、Ｓｅｓａｃｏ３７（Ｓ３７）と命名された新規ゴマ品種。一態様において、本発明は、種子サンプルがＡＴＣＣ受託番号ＰＴＡ−１２１０８９として寄託されている、Ｓ３７と命名されたゴマ品種の種子を含んでなる。別の態様において、本発明は、種子サンプルがＡＴＣＣ受託番号ＰＴＡ−１２１０８９として寄託されている、ゴマ品種Ｓ３７の種子を栽培することによって生産されたゴマ植物を含んでなる。
【００１０】
さらに別の態様では、本発明は、種子サンプルがＡＴＣＣ受託番号ＰＴＡ−１２１０８９として寄託されている、ゴマ品種Ｓ３７の種子を栽培することによって生産されたゴマ植物に由来する植物細胞を含んでなる。前記植物細胞は、例えば、花粉，再分化可能(regenerable)細胞の組織培養物、および無性生殖性栽培品種から選択されうる。
【００１１】
さらに別の態様では、本発明は、種子サンプルがＡＴＣＣ受託番号ＰＴＡ−１２１０８９として寄託されているゴマ品種Ｓ３７の全ての生理学的および形態学的特徴を有するゴマ植物を含んでなる。
【００１２】
別の態様において、本発明は、種子サンプルがＡＴＣＣ受託番号ＰＴＡ−１２１０８９として寄託されているゴマ品種Ｓ３７に由来する植物細胞から生産された再分化可能細胞の組織培養物から再分化したゴマ(regenerated)植物を含んでなり、前記再分化ゴマ植物は前記ゴマ品種Ｓ３７の全ての生理学的および形態学的特徴を有する。前記植物細胞は、Ｓ３７種子に由来してもよく、またはゴマ品種Ｓ３７の種子を栽培することによって生産されたゴマ植物の組織由来の植物細胞に由来してもよい。
【００１３】
別の態様において、本発明は、第一の親ゴマ植物と第二の親ゴマ植物を交配することおよび生じたゴマ種子を収穫することを含んでなり、前記第一または第二の親ゴマ植物が、種子サンプルがＡＴＣＣ受託番号ＰＴＡ−１２１０８９として寄託されているゴマ品種Ｓ３７の種子を栽培することによって生産されたものである、ゴマ種子の生産方法を含んでなる。
【図面の簡単な説明】
【００１４】
【図１Ａ】Ｓ３７の系統図を示す。
【図１Ｂ】Ｓ３７の系統図を示す。
【図１Ｃ】Ｓ３７の系統図を示す。
【図１Ｄ】Ｓ３７の系統図を示す。
【図１Ｅ】Ｓ３７の系統図を示す。
【図２】Ｓｅｓａｃｏ３７（Ｓ３７）を現Ｓｅｓａｃｏ品種：Ｓｅｓａｃｏ２８（Ｓ２８）、Ｓｅｓａｃｏ３０（Ｓ３０）、Ｓｅｓａｃｏ３２（Ｓ３２）、Ｓｅｓａｃｏ３４（Ｓ３４）、Ｓｅｓａｃｏ３５（Ｓ３５）、Ｓｅｓａｃｏ３６（Ｓ３６）、Ｓｅｓａｃｏ３８（Ｓ３８）およびＳｅｓａｃｏ３９（Ｓ３９）と比較する。１９９７〜２０１１年の振盪機粉砕耐性試験での種子保持パーセンテージに関する、様々なＳＥＳＡＣＯゴマ品種間の比較を示す。
【図３】Ｓｅｓａｃｏ３７（Ｓ３７）を現Ｓｅｓａｃｏ品種：Ｓｅｓａｃｏ２８（Ｓ２８）、Ｓｅｓａｃｏ３０（Ｓ３０）、Ｓｅｓａｃｏ３２（Ｓ３２）、Ｓｅｓａｃｏ３４（Ｓ３４）、Ｓｅｓａｃｏ３５（Ｓ３５）、Ｓｅｓａｃｏ３６（Ｓ３６）、Ｓｅｓａｃｏ３８（Ｓ３８）およびＳｅｓａｃｏ３９（Ｓ３９）と比較する。改善された非裂開視覚的評定の平均値の比較に関する、類似条件下で生育させた様々なＳｅｓａｃｏゴマ品種間の比較を示す。
【図４】Ｓｅｓａｃｏ３７（Ｓ３７）を現Ｓｅｓａｃｏ品種：Ｓｅｓａｃｏ２８（Ｓ２８）、Ｓｅｓａｃｏ３０（Ｓ３０）、Ｓｅｓａｃｏ３２（Ｓ３２）、Ｓｅｓａｃｏ３４（Ｓ３４）、Ｓｅｓａｃｏ３５（Ｓ３５）、Ｓｅｓａｃｏ３６（Ｓ３６）、Ｓｅｓａｃｏ３８（Ｓ３８）およびＳｅｓａｃｏ３９（Ｓ３９）と比較する。複合枯死耐性の評定に関する、類似条件下で生育させた様々なＳｅｓａｃｏゴマ品種間の比較を示す。
【図５】Ｓｅｓａｃｏ３７（Ｓ３７）を現Ｓｅｓａｃｏ品種：Ｓｅｓａｃｏ２８（Ｓ２８）、Ｓｅｓａｃｏ３０（Ｓ３０）、Ｓｅｓａｃｏ３２（Ｓ３２）、Ｓｅｓａｃｏ３４（Ｓ３４）、Ｓｅｓａｃｏ３５（Ｓ３５）、Ｓｅｓａｃｏ３６（Ｓ３６）、Ｓｅｓａｃｏ３８（Ｓ３８）およびＳｅｓａｃｏ３９（Ｓ３９）と比較する。生理学的成熟までの平均日数に関する、類似条件下で生育させた様々なＳｅｓａｃｏゴマ品種間の比較を示す。
【図６】Ｓｅｓａｃｏ３７（Ｓ３７）を現Ｓｅｓａｃｏ品種：Ｓｅｓａｃｏ２８（Ｓ２８）、Ｓｅｓａｃｏ３０（Ｓ３０）、Ｓｅｓａｃｏ３２（Ｓ３２）、Ｓｅｓａｃｏ３４（Ｓ３４）、Ｓｅｓａｃｏ３５（Ｓ３５）、Ｓｅｓａｃｏ３６（Ｓ３６）、Ｓｅｓａｃｏ３８（Ｓ３８）およびＳｅｓａｃｏ３９（Ｓ３９）と比較する。ドライダウンでの収穫高に関する、類似条件下で生育させた様々なＳｅｓａｃｏゴマ品種間の比較を示す。
【図７】Ｓｅｓａｃｏ３７（Ｓ３７）を現Ｓｅｓａｃｏ品種：Ｓｅｓａｃｏ２８（Ｓ２８）、Ｓｅｓａｃｏ３０（Ｓ３０）、Ｓｅｓａｃｏ３２（Ｓ３２）、Ｓｅｓａｃｏ３４（Ｓ３４）、Ｓｅｓａｃｏ３５（Ｓ３５）、Ｓｅｓａｃｏ３６（Ｓ３６）、Ｓｅｓａｃｏ３８（Ｓ３８）およびＳｅｓａｃｏ３９（Ｓ３９）と比較する。１９９７〜２０１１年における１００個の種子の平均重量（ｇ）に関する、様々なＳｅｓａｃｏゴマ品種間の比較を示す。
【図８】Ｓｅｓａｃｏ３７（Ｓ３７）を現Ｓｅｓａｃｏ品種：Ｓｅｓａｃｏ２８（Ｓ２８）、Ｓｅｓａｃｏ３０（Ｓ３０）、Ｓｅｓａｃｏ３２（Ｓ３２）、Ｓｅｓａｃｏ３４（Ｓ３４）、Ｓｅｓａｃｏ３５（Ｓ３５）、Ｓｅｓａｃｏ３６（Ｓ３６）、Ｓｅｓａｃｏ３８（Ｓ３８）およびＳｅｓａｃｏ３９（Ｓ３９）と比較する。種子油の含有量に関する、類似条件下で生育させた様々なＳｅｓａｃｏゴマ品種間の比較を示す。
【図９】Ｓｅｓａｃｏ３７（Ｓ３７）を現Ｓｅｓａｃｏ品種：Ｓｅｓａｃｏ２８（Ｓ２８）、Ｓｅｓａｃｏ３０（Ｓ３０）、Ｓｅｓａｃｏ３２（Ｓ３２）、Ｓｅｓａｃｏ３４（Ｓ３４）、Ｓｅｓａｃｏ３５（Ｓ３５）、Ｓｅｓａｃｏ３６（Ｓ３６）、Ｓｅｓａｃｏ３８（Ｓ３８）およびＳｅｓａｃｏ３９（Ｓ３９）と比較する。コナジラミに対する耐性に関する、類似条件下で生育させた様々なＳｅｓａｃｏ品種のゴマ植物間の比較を示す。
【図１０】Ｓｅｓａｃｏ３７（Ｓ３７）を現Ｓｅｓａｃｏ品種：Ｓｅｓａｃｏ２８（Ｓ２８）、Ｓｅｓａｃｏ３０（Ｓ３０）、Ｓｅｓａｃｏ３２（Ｓ３２）、Ｓｅｓａｃｏ３４（Ｓ３４）、Ｓｅｓａｃｏ３５（Ｓ３５）、Ｓｅｓａｃｏ３６（Ｓ３６）、Ｓｅｓａｃｏ３８（Ｓ３８）およびＳｅｓａｃｏ３９（Ｓ３９）と比較する。耐葉病性に関する、類似条件下で生育させた様々なＳｅｓａｃｏ品種のゴマ植物間の比較を示す。
【発明の具体的説明】
【００１５】
詳細な説明
本明細書では、改善された非裂開性（ＩＮＤ）およびそれを商業上好適なゴマ系統とする新規な特性を示す、Ｓｅｓａｃｏ３７（Ｓ３７）と命名された非裂開性（ＮＤ）ゴマ品種が開示される。ＩＮＤを有するために、例えば、雨、霧、露、および風などの悪天候条件中に、収穫適期を過ぎて圃場に残っても種子損失がほとんどない。Ｓ３７は機械的収穫に適している。
【００１６】
Ｄｅｒａｌｄ  Ｒａｙ  Ｌａｎｇｈａｍにより開発された改善されたゴマの非裂開性（ＩＮＤ）種はＮＤであるが、ＩＮＤゴマはまた、より良好な偽膜間接着および改善された胎座結合も示す。ＩＮＤゴマは、作物が収穫適期（コンバイン収穫が可能となった）となってから４週間後に測定した場合、従来のゴマ種よりも多くの種子を保持する。ＩＮＤ特性は、特定の栽培適用に利点を与える。
【００１７】
ＮＤゴマに比べ、ＩＮＤゴマは、理想的な収穫期から４〜９週間後の間に測定した場合、さく果内により多くの種子を有する。
【００１８】
特定の理論に縛られることを望むものではないが、このさく果内の種子量の増加は、Ｓ３７品種が過酷なまたは荒れた天候などの悪環境条件により良く耐える能力を有することによるものであろうと考えられる。これに関してＳ３７が曝された悪天候条件の例は、雨、霧、露、および風である。Ｓ３７品種はすでに試験され、ＩＮＤの基準を満たす。
【００１９】
米国特許第８，０８０，７０７号は、本明細書に全内容が示される場合と同じく、引用することにより本明細書の一部とされる。この出願は、改善された非裂開性のゴマを開示している。Ｓ３７は、そこに記載されている育種方法から得られた品種の例である。
【００２０】
Ｓ３７は、改善された耐粉砕性、許容される一般真菌病害耐性、および広い地理的範囲を可能とする成熟性を示す。さらに、Ｓ３７は、ゴマの植付けに望ましい地理的位置でより高い収穫高を示し、かつ、望ましい種子サイズおよび種子色を示す。Ｓ３７は、春に植え付ける場合には地温がおよそ２１℃で、通常の栽培終了を迎えるためには夜温が５℃を超える地域での植付けに適している。Ｓ３７の例示的な望ましい地理的地域は、南テキサスのリオグランデ川の辺りから中央カンザス、およびテキサス州の標高１０００メートル以下の地帯から、東は大西洋までである。他の例示的地域としては米国または世界の、類似の気候条件、日長パターン（類似の緯度）および標高を有する地域である。
【００２１】
本発明を述べるに当たって、いくつかの用語を知っておくことが役立つ。ゴマ植物は、季節および気候の変化ならびに生長および発達の種々の相および段階で生きていく環境に対する応答が研究されてきた。「季節学」と呼ばれるこの種の研究は、発明者がLangham, D.R.  2007.  “Phenology of sesame,” In: J. Janick and A. Whipkey (ed.), Issues in New Crops and New Uses, ASHS Press, Alexandria, VAに記載している。
【００２２】
表Ｉは、ゴマの相および段階をまとめたものであり、本発明を述べるに当たって役立つであろう。
【００２３】
【表１】
0005982028.tif 000002
【００２４】
本明細書に使用される概念および用語で定義すべきものがいくつか存在する。環境保護庁は、ゴマを乾燥させるために使用される収穫補助剤の、生理学的成熟後２週間以内の適用を認めている。表Ｉの初期ドライダウン段階に収穫補助剤を用いなければ、さく果は乾燥および裂開を始める。この段階は植物体の１０％が１以上の乾燥さく果を有する際に終わる。後期ドライダウン段階は、植物体が十分に乾燥し、収穫した際に種子の含水率が６％以下となった際に終わる。この時点で、さく果の一部は、表Ｉで用いる例では５週間乾燥しているが、他の品種に対する他の環境では、乾燥は７週間に延びる場合もある。「理想的な収穫期」は、後期乾燥段階の終了時である。この時点で、コンバイン（コンバインハーベスターと呼ばれることもある、収穫と脱穀と精穀を組み合わせた機械）を用いて植物体を切断および脱穀し、不要の植物材料から種子を分離する。しかしながら、時折、天候が理想的な時期での収穫を阻む場合がある。これらの植物体はさらに４週間といった長期間、場合によってはさらに長く圃場に残しておかなければならない場合がある。従って、時点ｔ０は理想的な収穫期に相当し、栽培者が実際にゴマを収穫する時点に相当する時点ｔ１は、時点ｔ０よりも後の時点である。
【００２５】
植物育種の系統法を用いてＳ３７を開発した。ゴマは一般に自家受粉性である。交配は、Yermanos, D.M. 1980. “Sesame. Hybridization of crop plants,” Am Soc. Agronomy-Crop Sci. of America, pp. 549-563および米国特許第６，１００，４５２号に詳細に示されているような標準的技術を用いて行われる。Ａｓｈｒｉは、Ashri, A. (1998). “Sesame breeding,” Plant Breed. Rev. 16:179-228およびAshri, A. 2007. Sesame (Sesamum indicum L.). In: R.J. Singh, Ed., Genetic Resources, Chromosome Engineering, and Crop Improvement, Vol. 4, Oilseed Crops, p.231-289, CRC Press, Boca Raton, FL, USAで、ゴマ育種の総説を示している。
【００２６】
Ｓ３７の系統を図１に示す。Ｇ８（１）は、１９７７年にＤ．Ｇ．Ｌａｎｇｈａｍから入手され、１９７８年にＳｅｓａｃｏ社によりカムマン苗床（ウェルトン，アリゾナ州）に最初に植えられた系統であった。この系統は、Ｄ．Ｇ．Ｌａｎｇｈａｍが１９５０年代にベネズエラで開発した栽培品種「Ｇｕａｃａｒａ」からの選抜系統であった。Ｇｕａｃａｒａは、後にベネズエラの主要品種の１つＡｃｅｉｔｅｒａを生み出した交配種からの最初の選抜系統であった。Ｓｅｓａｃｏ社内で、Ｇ８は最初、識別名Ｘ０１１を有していたが、後にＴＧ８に変更された。
【００２７】
Ｓ１１（２）は、１９８２年に、ニッカーソン苗床（ユマ，アリゾナ州）において、Ｓｅｓａｃｏ社によりＧ８（１）と１１１Ｘ（４）の間で作出された交配種であった。Ｓｅｓａｃｏ社内で、この系統は識別名Ｆ８０４を有していた。１９８８年に、この系統の選抜系統がＳｅｓａｃｏ１１となった。
【００２８】
１１１（３）は、１９７９年にＮＰＧＳ（ＰＩ１７３９５５）から入手され、１９８１年にＳｅｓａｃｏ社によりウッズ苗床（ウェルトン，アリゾナ州）に最初に植えられた系統であった。ＮＰＧＳはこの系統を、インドからそれを入手していたＷ．Ｎ．Ｋｏｅｌｚ，ＵＳＤＡ，ベルトビル，メリーランド州から１９４９年に入手した。Ｓｅｓａｃｏ社内で、１１１は最初、識別名０８５８を有していたが、後にＸ１１１に変更された。１９８５年に、この系統の選抜系統がＳｅｓａｃｏ４（ＳＯ４）となった。
【００２９】
１１１Ｘ（４）は、１９８２年における、ニッカーソン苗床（ユマ，アリゾナ州）の区画ＢＴ０４５８での１１１（３）の他殖系統であった。Ｓｅｓａｃｏ社内で、この系統は識別名Ｅ０７４５を有していたが、後にＴ１１１Ｘに変更された。
【００３０】
８８Ｆ（５）は、１９８８年に、シャープ苗床（ロール，アリゾナ州）においてＳｅｓａｃｏ社により作出されたＳ１１（２）と８８８（７）の間の交配種であった。Ｓｅｓａｃｏ社内で、この系統は識別名ＬＣＥ０１を有していたが、後にＸ８８Ｆ、その後Ｔ８８Ｆに変更された。
【００３１】
１９２（６）は、１９８０年にＭ．Ｌ．Ｋｉｎｍａｎから入手され、１９８１年にＳｅｓａｃｏ社によりウッズ苗床（ウェルトン，アリゾナ州）に最初に植えられた系統であった。この系統は、元は、フォート・コリンズ，コロラド州で低温保存されていたＫｉｎｍａｎ  ＵＳＤＡゴマプログラム（カレッジステーション，テキサス州）のＴ６１４２９−Ｂ−４−１−３であった。１９９７年に、この系統はＮＰＧＳ（グリフィン，ジョージア州）に移され、識別名ＰＩ５９９４６２とされた。Ｓｅｓａｃｏ社内で、１９２は最初、識別名１４７９を有していたが、後にＸ１９１およびＸ１９３に変更された。１９８５年に、Ｘ１９３からの選抜系統がＳｅｓａｃｏ３（Ｓ０３）となり、Ｘ１９１の選抜系統がＳｅｓａｃｏ７（Ｓ０７）となった。
【００３２】
８８８（７）は、１９８２年にニッカーソン苗床（ユマ，アリゾナ州）においてＳｅｓａｃｏ社により１９２（６）とＶ５２（８）の間で作出された交配種であった。Ｓｅｓａｃｏ社内で、８８８は最初、識別名Ｆ８８８を有していたが、後にＴ８８８に変更された。
【００３３】
Ｖ５２（８）は、１９７７年にＳｅｓａｍｕｍ  Ｆｏｕｎｄａｔｉｏｎ（Ｄ．Ｇ．Ｌａｎｇｈａｍ，フォールブルック，カリフォルニア州）コレクションから入手され、１９７８年にＳｅｓａｃｏ社によりカムマン苗床（ウェルトン，アリゾナ州）に最初に植えられた、ＳＦ０７５と呼ばれる栽培品種であった。Ｓｅｓａｍｕｍ  Ｆｏｕｎｄａｔｉｏｎはこの品種を１９６０年にＢ．Ｍａｚｚａｎｉ（マラカイ，ベネズエラ）から入手した。元は、それは１９４０年代にＤ．Ｇ．Ｌａｎｇｈａｍにより開発されたベネズエラ５２として知られる栽培品種であった。Ｓｅｓａｃｏ社内で、Ｖ５２は最初、識別名００７５を有していたが、後にＴＶ５２に変更された。
【００３４】
ＢＩ７９１（９）は、１９９２年にギリーランド苗床（ウバルデ，テキサス州）においてＳｅｓａｃｏ社により作出された８８Ｆ（５）とＳ１６（３１）の間の交配種であった。Ｓｅｓａｃｏ社内で、この系統は識別名ＢＩ７９１を有していた。
【００３５】
ＳＯＭＡＬＩＡ（１０）は、１９７９年にＮＧＰＳ（ＰＩ２１０６８７）から入手され、１９７９年にカムマン苗床（ウェルトン，アリゾナ州）に最初に植えられた系統であった。ＮＧＰＳはこの系統をＡｄｍｉｎｉｓｔｒａｚｉｏｎｅ  Ｆｉｄｕｃｉａｒｉａ  Ｉｔａｌｉａｎａ  ｄｅｌｌａ  Ｓｏｍａｌｉａ（モガディッシュ，ソマリア）から入手した。Ｓｅｓａｃｏ社内で、この系統は識別名０７３０を有していた。
【００３６】
Ｈ６７７８（１１）は、１９８４年にハンコック苗床（ウェルトン，アリゾナ州）においてＳｅｓａｃｏ社によりＳＯＭＡＬＩＡ（１０）と１１８（１２）の間で作出された交配種であった。Ｓｅｓａｃｏ社内で、この系統は識別名Ｈ６７７８を有していた。
【００３７】
１１８（１２）は、１９７９年にＮＧＰＳ（ＰＩ４２５９４４）から入手され、１９７９年にカムマン苗床（ウェルトン，アリゾナ州）に最初に植えられた系統であった。ＮＧＰＳはこの系統を、パキスタンでそれを採取したＰ．Ｆ．Ｋｎｏｗｌｅｓ（カリフォルニア大学，デービス，カリフォルニア州）から１９７８年に入手した。Ｓｅｓａｃｏ社内で、この系統は識別名１１１８を有していたが、Ｘ１１８に、その後Ｔ１１８に変更された。
【００３８】
Ｊ３２０８（１３）は、１９８５年にハンコック苗床（ウェルトン，アリゾナ州）においてＳｅｓａｃｏ社によりＨ６７７８（１１）とＨ６４３２（２７）の間で作出された交配種であった。Ｓｅｓａｃｏ社内で、この系統は識別名Ｊ３２０８を有していた。
【００３９】
１９３（１４）は、１９８０年にＭ．Ｌ．Ｋｉｎｍａｎから入手され、１９８１年にＳｅｓａｃｏ社によりウッズ苗床（ウェルトン，アリゾナ州）に最初に植えられた系統１９２（６）からの選抜系統であった。この系統は、元は、フォート・コリンズ，コロラド州で低温保存されていた、Ｋｉｎｍａｎ  ＵＳＤＡゴマプログラム（カレッジステーション，テキサス州）のＴ６１４２９−Ｂ−４−１−３であった。１９９７年に、この系統はＮＰＧＳ（グリフィン，ジョージア州）に移され、識別名ＰＩ５９９４６２とされた。Ｓｅｓａｃｏ社内で、１９２は最初、識別名１４７９を有していたが、後にＸ１９１（単一さく果）およびＸ１９３（三さく果）に変更された。１９８５年に、Ｘ１９３からの選抜系統がＳｅｓａｃｏ３（Ｓ０３）となり、Ｘ１９１の選抜系統がＳｅｓａｃｏ７（Ｓ０７）となった。
【００４０】
Ｈ６４３２（１５）は、１９８４年にハンコック苗床（ウェルトン，アリゾナ州）においてＳｅｓａｃｏ社により１９３（１４）と０７６（１７）の間で作出された交配種であった。Ｓｅｓａｃｏ社内で、この系統は識別名Ｈ６４３２を有していた。
【００４１】
ＭＡＸＩＭＯ（１６）は、１９７７年にＳｅｓａｍｕｍ  Ｆｏｕｎｄａｔｉｏｎ（Ｄ．Ｇ．Ｌａｎｇｈａｍ，フォールブルック，カリフォルニア州）から入手され、１９７８年にカムマン苗床（ウェルトン，アリゾナ州）に最初に植えられた系統であった。Ｓｅｓａｍｕｍ  Ｆｏｕｎｄａｔｉｏｎはこの系統を、１９６１年にＭａｘｉｍｏ  Ｒｏｄｒｉｇｕｅｚから入手した。彼はこの系統をメキシコから採集し、メキシコではそれはＩｎｓｔｉｔｕｔｏ  Ｒｅｇｉｏｎａｌ  Ｃａｎａｓｔａとして知られていた。Ｓｅｓａｃｏ社内で、この系統は識別名０１１６を有していたが、後にＴＭＡＸに変更された。
【００４２】
０７６（１７）は、１９７９年にカムマン苗床（ウェルトン，アリゾナ州）においてＳｅｓａｃｏ社によりＭＡＸＩＭＯ（１６）とＲ２３４  ＴＡＬＬ（１９）の間で作出された交配種であった。Ｓｅｓａｃｏ社内で、この系統は識別名Ｃ０７６を有していたが、後にＴ０７６に変更された。
【００４３】
Ｒ２３４（１８）は、１９７８年にＤ．Ｍ．Ｙｅｒｍａｎｏｓから、カリフォルニア大学リバーサイド校での彼のゴマプログラムから入手された命名品種であった。この系統は１９７８年にカムマン苗床（ウェルトン，アリゾナ州）に最初に植えられた。Ｓｅｓａｃｏ社内で、この系統は識別名０５４４を有していたが、後にＴ２３４に変更された。
【００４４】
Ｒ２３４  ＴＡＬＬ（１９）は、１９７９年にカムマン苗床（ウェルトン，アリゾナ州）においてＲ２３４（１８）の個体群で発見された他殖系統であった。Ｓｅｓａｃｏ社内で、この系統は識別名Ｘ０２６を有していた。
【００４５】
Ｋ３２５５（２０）は、１９８６年にハンコック苗床（ウェルトン，アリゾナ州）においてＳｅｓａｃｏ社によりＪ３２０８（１３）とＪ３２２２（２７）の間で作出された交配種であった。Ｓｅｓａｃｏ社内で、この系統は識別名Ｋ３２５５を有していた。
【００４６】
０４５（２１）は、１９７８年にカムマン苗床（ウェルトン，アリゾナ州）においてＳｅｓａｃｏ社によりＧ８（１）と９５８（２２）の間で作出された交配種であった。Ｓｅｓａｃｏ社内で、この系統は識別名Ｂ０４５を有していたが、後にＴ０４５に変更された。
【００４７】
９５８（２２）は、１９７７年にＳｅｓａｍｕｍ  Ｆｏｕｎｄａｔｉｏｎから入手され、１９７８年にカムマン苗床（ウェルトン，アリゾナ州）に最初に植えられた系統であった。この系統はＳＦ４１１の名称で入手された。Ｓｅｓａｍｕｍ  Ｆｏｕｎｄａｔｉｏｎはこの系統を、ベネズエラのＤ．Ｇ．Ｌａｎｇｈａｍ育種プログラムからそれを入手していたＪｏｈｎ  Ｍａｒｔｉｎから１９６２年に入手した。Ｓｅｓａｃｏ社内で、Ｇ９５８−１は識別名０４１１を有していたが、後にＴ９５８に変更された。
【００４８】
Ｈ６７８５（２３）は、１９８４年にハンコック苗床（ウェルトン，アリゾナ州）においてＳｅｓａｃｏ社により０４５（２１）と０３６（２５）の間で作出された交配種であった。Ｓｅｓａｃｏ社内で、この系統は識別名Ｈ６７８５を有していた。
【００４９】
９８２（２４）は、１９７７年にＳｅｓａｍｕｍ  Ｆｏｕｎｄａｔｉｏｎから入手され、１９７８年にカムマン苗床（ウェルトン，アリゾナ州）に最初に植えられた系統であった。この系統はＳＦ４７７の名称で入手され、Ｇ５３．９８−２と命名された。Ｓｅｓａｍｕｍ  Ｆｏｕｎｄａｔｉｏｎはこの系統を、ベネズエラのＤ．Ｇ．Ｌａｎｇｈａｍ育種プログラムからそれを入手していたＪｏｈｎ  Ｍａｒｔｉｎから１９６２年に入手した。Ｇ５３．９８−２は、１９５３年にグアカラ，ベネズエラにおいてＤ．Ｇ．Ｌａｎｇｈａｍにより作出された交配種であった。Ｓｅｓａｃｏ社内で、９８２は識別名０４７７を有していたが、後にＴ９８２に変更された。
【００５０】
０３６（２５）は、１９７９年にカムマン苗床（ウェルトン，アリゾナ州）においてＳｅｓａｃｏ社により９８２（２４）とＧ５３．８０−１（２６）の間で作出された交配種であった。Ｓｅｓａｃｏ社内で、この系統は識別名Ｃ０３６、後にＸ０３６を有していた。１９８４年に、Ｘ０３６からの選抜系統がＳｅｓａｃｏ６（Ｓ０６）となった。
【００５１】
Ｇ５３．８０−１（２６）は、１９７７年にＳｅｓａｍｕｍ  Ｆｏｕｎｄａｔｉｏｎから入手され、１９７８年にカムマン苗床（ウェルトン，アリゾナ州）に最初に植えられた系統であった。この系統はＳＦ４７１の名称で入手された。Ｓｅｓａｍｕｍ  Ｆｏｕｎｄａｔｉｏｎはこの系統を、ベネズエラのＤ．Ｇ．Ｌａｎｇｈａｍ育種プログラムから入手していたＪｏｈｎ  Ｍａｒｔｉｎから１９６２年に入手した。Ｇ５３．８０−１は、１９５３年にグアカラ，ベネズエラにおいてＤ．Ｇ．Ｌａｎｇｈａｍにより作出された交配種であった。Ｓｅｓａｃｏ社内で、Ｇ５３．８０−１は識別名０４７１を有していた。
【００５２】
Ｊ３２２２（２７）は、１９８２年にハンコック苗床（ウェルトン，アリゾナ州）においてＳｅｓａｃｏ社によりＨ６７８５（２３）とＨ６５６２（２９）の間で作出された交配種であった。Ｓｅｓａｃｏ社内で、この系統は識別名Ｊ３２２２を有していた。
【００５３】
１９５（２８）は、１９８３年にマケルハニー苗床（ウェルトン，アリゾナ州）において１９２（６）個体群の区画ＭＮ４５８４で選抜された他殖系統であった。Ｓｅｓａｃｏ社内で、この系統は識別名Ｅ０６９０を有していたが、後にＸ１９５に変更された。
【００５４】
Ｈ６５６２（２９）は、１９８４年にハンコック苗床（ウェルトン，アリゾナ州）においてＳｅｓａｃｏ社により１９５（２８）と７０１（３０）の間で作出された交配種であった。Ｓｅｓａｃｏ社内で、この系統は識別名Ｈ６５６２を有していた。
【００５５】
７０１（３０）は、１９７９年にＮＧＰＳ（ＰＩ２９２１４５）から入手され、１９８１年にウッズ苗床（ウェルトン，アリゾナ州）に最初に植えられた系統であった。ＮＧＰＳはこの系統を、イスラエルからそれを入手していたＭｏｎｓａｎｔｏ，Ｕ．Ｓ．の一部門であるＨｙｂｒｉｔｅｃｈ  Ｓｅｅｄ  Ｉｎｔｅｒｎａｔｉｏｎａｌから１９６３年に入手した。イスラエルのＡ．Ａｓｈｒｉは、１９８６年にこの材料を観察し、それがイスラエルへの導入種であったと結論づけている。この材料はインド亜大陸からの導入種に類似している。Ｓｅｓａｃｏ社内で、この系統は識別名０７０１を有していたが、後にＸ７０１に変更された。１９８４年に、Ｘ７０１からの選抜系統がＳｅｓａｃｏ５（Ｓ０５）となった。
【００５６】
Ｓ１６（３１）は、１９８７年にライト苗床（ロール，アリゾナ州）においてＳｅｓａｃｏ社によりＫ３２５５（２０）とＳ１１（２）の間で作出された交配種であった。Ｓｅｓａｃｏ社内で、この系統は識別名ＫＡＰ１１を有していたが、後にＸＦＸＡに変更された。１９９１年に、ＸＦＸＡからの選抜系統がＳｅｓａｃｏ１６（Ｓ１６）となった。
【００５７】
Ｓ２７（３２）は、１９９４年にフリーゼンハーン苗床（ナイッパ，テキサス州）においてＳｅｓａｃｏ社により作出されたＢＩ７９１（９）とＳ１７（３３）の間の交配種であった。Ｓｅｓａｃｏ社内で、この系統は識別名ＣＭ５８６を有していたが、後にＸ８８Ｋに変更された。２００６年に、Ｘ８８Ｋからの選抜系統がＳｅｓａｃｏ２７（Ｓ２７）となった(米国特許第７，９６４，７６８号)。
【００５８】
Ｓ１７（３３）は、１９８７年にライト苗床（ロール，アリゾナ州）においてＳｅｓａｃｏ社により作出されたＳ１１（２）と７２Ａ（３５）の間の交配種であった。Ｓｅｓａｃｏ社内で、この系統は識別名ＫＡＮ２２を有していたが、後にＸ７ＡＢに変更された。１９９２年に、Ｘ７ＡＢからの選抜系統がＳｅｓａｃｏ１７（Ｓ１７）となった。
【００５９】
７０２（３４）は、１９７９年にＮＧＰＳ（ＰＩ２９２１４６）から入手され、１９８１年にウッズ苗床（ウェルトン，アリゾナ州）に最初に植えられた系統であった。ＮＧＰＳはこの系統を、イスラエルからそれを入手していたＭｏｎｓａｎｔｏ，Ｕ．Ｓ．の一部門であるＨｙｂｒｉｔｅｃｈ  Ｓｅｅｄ  Ｉｎｔｅｒｎａｔｉｏｎａｌから１９６３年に入手した。イスラエルのＡ．Ａｓｈｒｉは、１９８６年にこの材料を観察し、それがイスラエルへの導入種であったと結論づけている。この材料はインド亜大陸からの導入種に類似している。Ｓｅｓａｃｏ社内で、この系統は識別名０７０２を有していたが、後にＸ７０２に変更された。選抜が行われた際には、この系統は名称Ｘ７０２Ｃを有していたが、後に７２Ｃに変更された。１９８６年に、７２Ｃからの選抜系統がＳｅｓａｃｏ１２（Ｓ１２）となった。
【００６０】
７２Ａ（３５）は、１９７９年にＮＧＰＳ（ＰＩ２９２１４６）から入手され、１９８１年にウッズ苗床（ウェルトン，アリゾナ州）に最初に植えられた７０２（３４）の他殖系統からの選抜系統であった。ＮＧＰＳはこの系統を、イスラエルからそれを入手していたＭｏｎｓａｎｔｏ，Ｕ．Ｓ．の一部門であるＨｙｂｒｉｔｅｃｈ  Ｓｅｅｄ  Ｉｎｔｅｒｎａｔｉｏｎａｌから１９６３年に入手した。イスラエルのＡ．Ａｓｈｒｉは、１９８６年にこの材料を観察し、それがイスラエルへの導入種であったと結論づけている。この材料はインド亜大陸からの導入種に類似している。Ｓｅｓａｃｏ社内で、この系統は識別名０７０２を有していたが、後にＸ７０２に変更された。選抜が行われた際には、この系統は名称Ｘ７０２Ａを有していたが、後に７２Ａに変更された。
【００６１】
ＪＪ６０８（３６）は、２０００年にギリーランド苗床（ウバルデ，テキサス州）においてＳｅｓａｃｏ社により作出されたＳ２７（３２）とＥＴＥ（３９）の間の交配種であった。Ｓｅｓａｃｏ社内で、この系統は識別名ＪＪ６０８を有していた。
【００６２】
ＦＬＥ（３７）は、１９７９年にＮＧＰＳ（ＰＩ２７３９４９）から入手され、１９７９年にカムマン苗床（ウェルトン，アリゾナ州）に最初に植えられた系統であった。ＮＧＰＳはこの系統を、旧ソ連においてＪ．Ｈａｒｌａｎによって作られたコレクションから１９６１年に入手した。Ｓｅｓａｃｏ社内で、この系統は識別名０８２０を有していたが、ＴＥＴＨに、後にＴＦＬＥに変更された。
【００６３】
ＥＴＡ（３８）は、１９８９年にシャープ苗床（ロール，アリゾナ州）においてＳｅｓａｃｏ社により作出されたＦＬＥ（２７）とＳ１１（２）の間の交配種であった。Ｓｅｓａｃｏ社内で、この系統は識別名Ｎ３５７５を有していたが、後にＴＥＴＡに変更された。
【００６４】
ＥＴＥ（３９）は、１９９４年にギリーランド苗床（ウバルデ，テキサス州）においてＳｅｓａｃｏ社により作出されたＥＴＡ（３８）とＳＡＡ（４５）の間の交配種であった。Ｓｅｓａｃｏ社内で、この系統は識別名ＣＭ２０８を有していたが、後にＸＥＴＥ、最終的にＴＥＴＥに変更された。
【００６５】
８０４（４０）は、１９８２年にニッカーソン苗床（ユマ，アリゾナ州）においてＳｅｓａｃｏ社によりＧ８（１）と１１１Ｘ（４）の間で作出された交配種であった。Ｓｅｓａｃｏ社内で、この系統は識別名Ｆ８０４を有していたが、１９８８年にこの系統の選抜系統がＳｅｓａｃｏ１１（Ｓ１１）となった。
【００６６】
Ｋ０３３８（４１）は、１９８６年にハンコック苗床（ウェルトン，アリゾナ州）においてＳｅｓａｃｏ社により８０４（４０）と９６Ｂ（４３）の間で作出された交配種であった。Ｓｅｓａｃｏ社内で、この系統は識別名Ｋ０３３８を有していた。
【００６７】
１９１（４２）は、１９８０年にＭ．Ｌ．Ｋｉｎｍａｎから入手され、１９８１年にＳｅｓａｃｏ社によりウッズ苗床（ウェルトン，アリゾナ州）に最初に植えられた系統１９２（６）からの選抜系統であった。この系統は、元は、フォート・コリンズ，コロラド州で低温保存されていた、Ｋｉｎｍａｎ  ＵＳＤＡゴマプログラム（カレッジステーション，テキサス州）からのＴ６１４２９−Ｂ−４−１−３であった。１９９７年に、この系統は、ＮＰＧＳ（グリフィン，ジョージア州）に移され、識別名ＰＩ５９９４６２とされた。Ｓｅｓａｃｏ社内で、１９２は最初、識別名１４７９を有していたが、後にＸ１９１およびＸ１９３に変更された。１９８５年に、Ｘ１９３からの選抜系統がＳｅｓａｃｏ３（Ｓ０３）となり、Ｘ１９１の選抜系統がＳｅｓａｃｏ７（Ｓ０７）となった。
【００６８】
９６Ｂ（４３）は、１９８３年のマケルハニー苗床（ウェルトン，アリゾナ州）における区画４６３７での１９１（４２）の他殖系統であった。Ｓｅｓａｃｏ社内で、この系統は識別名Ｅ０６９０を有していたが、後にＸ１９６Ｂとなり、その後Ｔ９６Ｂに変更された。
【００６９】
ＺＳＡ（４４）は、１９８６年にユマ温室（ユマ，アリゾナ州）においてＳｅｓａｃｏ社によりＫ０３３８（４１）とＳ１１（２）の間で作出された交配種であった。Ｓｅｓａｃｏ社内で、この系統は最初、識別名ＫＡＣ２２を有していたが、後にＸＺＳＡ、その後ＴＺＳＡに変更された。
【００７０】
ＳＡＡ（４５）は、１９８９年にシャープ苗床（ロール，アリゾナ州）においてＳｅｓａｃｏ社によりＺＳＡ（４４）と２３３（５０）の間で作出された交配種であった。Ｓｅｓａｃｏ社内で、この系統は識別名ＰＥ０４６を有していたが、後にＸＳＡＡ、その後ＴＳＡＡに変更された。
【００７１】
Ｂ０４３（４６）は、１９７８年にカムマン苗床（ユマ，アリゾナ州）においてＳｅｓａｃｏ社によりＧ８（１）とＭＥＬ（４７）の間で作出された交配種であった。Ｓｅｓａｃｏ社内で、この系統は識別名Ｂ０４３を有していた。
【００７２】
ＭＥＬ（４７）は、１９７８年にＭｅｌ  Ｔｉｅｚｅｎから入手され、１９７８年にＳｅｓａｃｏ社によりカムマン苗床（ウェルトン，アリゾナ州）に最初に植えられた系統であった。Ｔｉｅｚｅｎ氏はこの系統をメキシコの農家から入手した。Ｓｅｓａｃｏ社内で、ＭＥＬは最初、識別名０５４３を有していたが、後にＴＭＥＬに変更された。
【００７３】
Ｃ０６３（４８）は、１９７９年にカムマン苗床（ユマ，アリゾナ州）においてＳｅｓａｃｏ社によりＢ０４３（４６）とＧ５４（４９）の間で作出された交配種であった。Ｓｅｓａｃｏ社内で、この系統は識別名Ｃ０６３を有していた。
【００７４】
Ｇ５４（４９）は、１９７７年にＳｅｓａｍｕｍ  Ｆｏｕｎｄａｔｉｏｎ（Ｄ．Ｇ．Ｌａｎｇｈａｍ，フォールブルック，カリフォルニア州）から入手され、１９７８年にカムマン苗床（ウェルトン，アリゾナ州）に最初に植えられた系統であった。この系統は名称ＳＦ４０８で入手された。Ｓｅｓａｍｕｍ  Ｆｏｕｎｄａｔｉｏｎは、この系統を１９６２年にＪｏｈｎ  Ｍａｒｔｉｎから入手した。この系統はＤ．Ｇ．ＬａｎｇｈａｍによりＭａｒｔｉｎ氏に譲渡された。Ｇ５４は、１９５４年にグアカラ，ベネズエラにおいてＤ．Ｇ．Ｌａｎｇｈａｍにより作出された交配種Ｇ５３．４８からの選抜系統であった。Ｓｅｓａｃｏ社内で、Ｇ５４は識別名０４０８を有していたが、後にＴＧ５４に変更された。
【００７５】
２３３（５０）は、１９８４年にハンコック苗床（ウェルトン，アリゾナ州）においてＳｅｓａｃｏ社によりＣ０６３（４８）と１９３（１４）の間で作出された交配種であった。Ｓｅｓａｃｏ社内で、この系統は最初、識別名Ｈ６２３３を有していたが、後にＴ２３３に変更された。
【００７６】
２７Ｒ（５１）は、２００１年にギリーランド苗床（ウバルデ，テキサス州）においてＳｅｓａｃｏ社によりＪＪ６０８（３６）とＳ２７（３２）の間で作出された交配種であった。Ｓｅｓａｃｏ社内で、この系統は最初、識別名ＫＬ６３５を有していたが、後にＸ２７Ｒ、その後Ｔ２７Ｒに変更された。
【００７７】
１３Ｈ（５２）は、１９９４年にギリーランド苗床（ウバルデ，テキサス州）においてＳｅｓａｃｏ社によりＳＡＡ（４５）と０３１（５７）の間で作出された交配種であった。Ｓｅｓａｃｏ社内で、この系統は識別名ＣＭ４１３を有していたが、後にＸ１３Ｈ、その後Ｔ１３Ｈに変更された。
【００７８】
Ｆ８２０（５３）は、１９８２年にニッカーソン苗床（ユマ，アリゾナ州）においてＳｅｓａｃｏ社により１１１Ｘ（４）と１０４（５４）の間で作出された交配種であった。Ｓｅｓａｃｏ社内で、この系統は識別名Ｆ８２０を有していた。
【００７９】
１０４（５４）は、１９７７年にＳｅｓａｍｕｍ  Ｆｏｕｎｄａｔｉｏｎ（Ｄ．Ｇ．Ｌａｎｇｈａｍ，フォールブルック，カリフォルニア州）から入手され、１９７８年にカムマン苗床（ウェルトン，アリゾナ州）に最初に植えられた系統であった。この系統は名称ＳＦ０８４で入手された。Ｓｅｓａｍｕｍ  Ｆｏｕｎｄａｔｉｏｎはこの系統を１９６１年にＭａｘｉｍｏ  Ｒｏｄｒｉｇｕｅｚから入手した。彼はこの系統をメキシコから採集し、メキシコではそれはＩｎｓｔｉｔｕｔｏ  ８として知られていた。Ｉｎｓｔｉｔｕｔｏ  ８は、１９５３年にグアカラ，ベネズエラにおいてＤ．Ｇ．Ｌａｎｇｈａｍにより作出された交配種Ｇ５３．４８からの選抜系統であった。Ｓｅｓａｃｏ社内で、１０４は識別名００８４を有していた。１９８３年に、この系統の選抜系統がＳｅｓａｃｏ２（Ｓ０２）となった。
【００８０】
５７８（５５）は、１９８３年にマケルハニー苗床（ウェルトン，アリゾナ州）においてＳｅｓａｃｏ社によりＦ８２０（５３）とＦ８５３（５６）の間で作出された交配種であった。Ｓｅｓａｃｏ社内で、この系統は最初、識別名Ｇ８５７８を有していたが、後にＴ５７８に変更された。
【００８１】
Ｆ８５３（５６）は、１９８２年にニッカーソン苗床（ユマ，アリゾナ州）においてＳｅｓａｃｏ社により１０４（５４）と１９２（６）の間で作出された交配種であった。Ｓｅｓａｃｏ社内で、この系統は識別名Ｆ８５３を有していた。
【００８２】
０３１（５７）は、１９８４年にラムゼイ苗床（ロール，アリゾナ州）においてＳｅｓａｃｏ社により５７８（５５）と１１８（１２）の間で作出された交配種であった。Ｓｅｓａｃｏ社内で、この系統は識別名Ｈ００３１を有していたが、後にＴ０３１に変更された。
【００８３】
Ｓ３２（５８）は、１９９４年にギリーランド苗床（ウバルデ，テキサス州）においてＳｅｓａｃｏ社により１３Ｈ（５２）と２ＣＢ（６３）の間で作出された交配種であった。元の名称はＧＤ０３８であったが、後にＸ３ＨＤに変更された。２００７年に、Ｘ３ＨＤからの選抜系統がＳｅｓａｃｏ３２（Ｓ３２）となった（米国特許第７，８５５，３１７号）。
【００８４】
５６Ｂ（５９）は、１９８７年にライト苗床（タックナ，アリゾナ州）においてＳｅｓａｃｏ社により８０４（４０）と５６２（６１）の間で作出された交配種であった。Ｓｅｓａｃｏ社内で、この系統は最初、識別名ＫＡＮ００を有していたが、後にＸ５６Ｂ、その後Ｔ５６Ｂに変更された。
【００８５】
Ｆ８２２（６０）は、１９８２年にニッカーソン苗床（ユマ，アリゾナ州）においてＳｅｓａｃｏ社により１１１（３）と１９２（６）の間で作出された交配種であった。Ｓｅｓａｃｏ社内で、この系統は識別名Ｆ８２２を有していた。
【００８６】
５６２（６１）は、１９８３年にマケルハニー苗床（ウェルトン，アリゾナ州）においてＳｅｓａｃｏ社によりＦ８２２（６０）と７００（６２）の間で作出された交配種であった。Ｓｅｓａｃｏ社内で、この系統は最初、識別名Ｇ８５６２を有していたが、後にＴ５６２に変更された。
【００８７】
７００（６２）は、１９７９年にＮＰＧＳ（ＰＩ２９２１４４）から入手され、１９８１年にＳｅｓａｃｏ社によりウッズ苗床（ウェルトン，アリゾナ州）に最初に植えられた系統であった。ＮＰＧＳはこの系統を、それをイスラエルから入手していたＭｏｎｓａｎｔｏ，Ｕ．Ｓ．の一部門であるＨｙｂｒｉｔｅｃｈ  Ｓｅｅｄ  Ｉｎｔｅｒｎａｔｉｏｎａｌから１９６３年に入手した。イスラエルのＡ．Ａｓｈｒｉは、１９８６年にこの材料を観察し、それがイスラエルへの導入種であったと結論づけている。この材料はインドおよびパキスタンからの導入種に類似している。Ｓｅｓａｃｏ社内で、７００は最初、識別名０７００を有していたが、後にＴ７００に変更された。
【００８８】
２ＣＢ（６３）は、１９９２年にギリーランド苗床（ウバルデ，テキサス州）においてＳｅｓａｃｏ社により５６Ｂ（５９）と２ＣＡ（６６）の間で作出された交配種であった。Ｓｅｓａｃｏ社内で、識別名ＡＧ７２９を有していたが、後にＸ２ＣＢ、その後Ｔ２ＣＢに変更された。
【００８９】
７２Ｃ（６４）は、１９７９年にＮＧＰＳ（ＰＩ２９２１４６）から入手され、１９８１年にウッズ苗床（ウェルトン，アリゾナ州）に最初に植えられた系統であった。ＮＧＰＳはこの系統を、イスラエルからそれを入手していたＭｏｎｓａｎｔｏ，Ｕ．Ｓ．の一部門であるＨｙｂｒｉｔｅｃｈ  Ｓｅｅｄ  Ｉｎｔｅｒｎａｔｉｏｎａｌから１９６３年に入手した。イスラエルのＡ．Ａｓｈｒｉは、１９８６年にこの材料を観察し、それがイスラエルへの導入種であったと結論づけている。この材料はインド亜大陸からの導入種に類似している。Ｓｅｓａｃｏ社内で、この系統は識別名０７０２を有していたが、後にＸ７０２に変更された。選抜が行われた際には、この系統は名称Ｘ７０２Ｃを有していたが、後に７２Ｃに変更された。１９８６年に、７２Ｃからの選抜系統がＳｅｓａｃｏ１２（Ｓ１２）となった。
【００９０】
Ｌ６６５１（６５）は、１９８７年にライト苗床（ロール，アリゾナ州）においてＳｅｓａｃｏ社により７２Ｃ（６４）と８０４（４０）の間で作出された交配種であった。Ｓｅｓａｃｏ社内で、この系統は識別名Ｌ６６５１を有していた。
【００９１】
２ＣＡ（６６）は、１９８８年にライト苗床（ロール，アリゾナ州）においてＳｅｓａｃｏ社によりＬ６６５１（６５）とＳ１１（２）の間で作出された交配種であった。Ｓｅｓａｃｏ社内で、この系統は識別名ＬＣＸ０２を有していたが、後にＸ２ＣＡ、その後Ｔ２ＣＡに変更された。
【００９２】
Ｓ３７（６７）は、第１年目、ギリーランド苗床（ウバルデ，テキサス州）において、Ｓｅｓａｃｏ社により２７Ｒ（５１）とＳ３２（５８）の間で作出された交配種であり、ＱＱ４４０と命名した。
【００９３】
第２年目、得られたＱＱ４４０の種子（Ｑ４４０と命名）をギリーランド苗床（ウバルデ，テキサス州）の区画３５５６に植えた。Ｓ３２よりも良好なさく果領域、第一さく果の高さおよび分枝を有することに基づいて、４個体の植物体を選抜した。
【００９４】
第３年目、上記植物体の１つに由来する種子（１３４４）をギリーランド苗床（ウバルデ，テキサス州）の区画４７６８に植えた。良好な収穫高を有することおよびさく果にガタガタ音がないことに基づいて、６個体の植物体を選抜した。
【００９５】
名称をＸ２７Ｔに変更した。第４年目、上記植物体の１つに由来する種子（４０１３）をＣｈａｐｍａｎ苗床（ロレンゾ，テキサス州）の区画Ａ５０７に植えた。良好な収穫高を有すること、非常に長いさく果領域を有することおよび植物体上部近傍に種子を有することに基づいて、３個体の植物体を選抜した。
【００９６】
第５年目、上記植物体の１つに由来する種子（１６６７）をギリーランド苗床（ウバルデ，テキサス州）の区画３２６２に植えた。良好な収穫高を有することおよび草丈は高いが良好な分枝を有することに基づいて、１６個体の植物体のバルクを選抜した。
【００９７】
第５．５年目、上記バルクに由来する種子（０７５０）を冬の苗床（カナス，コスタリカ）のストリップＷ６３５に植えた。ストリップ全体を収穫した。
【００９８】
第６年目、上記ストリップに由来する種子（２７ＴＣＲ）をギリーランド苗床（ウバルデ，テキサス州）の区画７６１４に植えた。非常に良好な保持および分枝を有することに基づいて、８９個体の植物体のバルクを収穫した。
【００９９】
第６．６年目、上記バルクに由来する種子（１４２３）を冬の苗床（ポンセ，プエルトリコ）のストリップＷ７０２に植えた。ストリップ全体を収穫した。
【０１００】
第７年目、上記ストリップに由来する種子（２７ＴＰＲ）をＰｌａｇｅｎｓ農場（クニッパ，テキサス州）のストリップに植え、耐候耐粉砕性、耐倒伏性、コンバイン収穫性（combinability）および収穫高の最終確認を行った。この系統は、良好な耐候耐粉砕性および優れた耐倒伏性を有することに関し、均一かつ安定であった。上記ストリップの一部を増殖のために収穫し、残りはコンバインテストのために残しておいた。この系統は、問題なくコンバインで収穫された。名称をＳＥＳＡＣＯ３７に変更した。第８年目、この品種を農家に発売した。
【０１０１】
ゴマの育種プログラムに沿って、ゴマの組織培養が韓国、日本、中国、インド、スリランカおよび米国などの世界の各地で現在実施中である。当業者ならば、非裂開性ゴマの作出において組織培養から生育させたゴマ植物を親系統として利用することができる。さらに、ＩＮＤゴマを組織培養法により増殖することも可能である。当技術分野で周知の手段によって、組織培養物から、起源植物の全ての生理学的および形態学的特徴を有するゴマ植物を再分化させることができる。
【０１０２】
本発明は、２０１４年３月１３日にアメリカン・タイプ・カルチャー・コレクション（ＡＴＣＣ）特許寄託機関にＡＴＣＣ受託番号ＰＴＡ−１２１０８９として寄託されたゴマ品種Ｓ３７の種子；ＡＴＣＣ受託番号ＰＴＡ−１２１０８９として寄託されている種子を栽培することによって生産されたゴマ植物またはその一部；ゴマ品種Ｓ３７の全ての生理学的および形態学的特徴を有する任意のゴマ植物；ＡＴＣＣ受託番号ＰＴＡ−１２１０８９として寄託されている種子を栽培することによって生産されたゴマ植物の全ての生理学的および形態学的特徴を有する任意のゴマ植物を含む。本発明はまた、ＡＴＣＣ受託番号ＰＴＡ−１２１０８９として寄託されている種子から生産された再分化可能細胞の組織培養物、またはＡＴＣＣ受託番号ＰＴＡ−１２１０８９として寄託されているゴマ品種Ｓ３７の種子を栽培することによって生産されたゴマ品種Ｓ３７もしくはその一部に由来する再分化可能細胞の組織培養物も含む。ＡＴＣＣ受託番号ＰＴＡ−１２１０８９として寄託されている種子もしくはゴマ品種Ｓ３７から生産された再分化可能細胞の組織培養から再分化したゴマ植物（前記再分化したゴマ植物はゴマ品種Ｓ３７の全ての生理学的および形態学的特徴を有する）も本発明により企図される。第一の親ゴマ植物と第二の親ゴマ植物を交配すること（前記第一または第二の親ゴマ植物はＡＴＣＣ特許寄託指定番号ＰＴＡ−１２１０８９として寄託されている種子により生産されたものである）を含んでなる、ゴマ種子の生産方法も本発明の一部である。
【０１０３】
特に断りのない限り、本明細書において使用する場合、植物という用語は、植物細胞、植物プロトプラスト、ゴマ植物が再分化可能な植物細胞組織培養物、植物カルス、植物塊、植物体内で無傷な植物細胞、または胚、花粉、胚珠、花、さく果、茎、葉、種子、根、根端などの植物の一部を含む。さらに、特に断りのない限り、本明細書において使用する場合、後代という用語は、植物細胞、植物プロトプラスト、ゴマ植物が再分化可能な植物細胞組織培養、植物カルス、植物塊、植物体内で無傷な植物細胞、または胚、花粉、胚珠、花、さく果、茎、葉、種子、根、根端などの植物の一部に由来する植物を含む。
【０１０４】
ゴマ栽培品種Ｓ３７は、南テキサス州から南オクラホマまでの範囲の様々な生育条件下で数年にわたって実験的に試験された。ゴマ栽培品種Ｓ３７は、下表ＩＩに挙げられる特徴に関して、環境的影響の限度内で均一性および安定性を示した。表ＩＩは、各特徴の名称、定義および評定尺度、ならびにその特徴が評価される方法を示す。評定区分として、Ｓ３７の評定は太字で示す。さらに、Ｓｅｓａｃｏ社のゴマ開発プログラムにおける特徴の分布も評定の区分に示す。Ｓｅｓａｃｏ社は、“Descriptors for sesame”, AGP:IBPGR/80/71, IBPGR Secretariat, Rome, (1981)および書式“Sesame (Sesamum indicum)”, U.S. Department of Agriculture Plant Variety Protection Office（ベルトビル，メリーランド州）からの若干異なる特徴明細を使用する。これらの書面の記述は１９８０年代の初期に開発され、ゴマのデータ収集に新たな概念を組み込む更新は行われていなかった。
【０１０５】
表ＩＩは、４５種類の形質に関するＳ３７の特性を示す。この表に示される点数評定および値は、Ｓ３７を従来のゴマ品種と並べて反復試験を行うことにより実験的に決定された。所定の品種に関する実際の数値および評定は環境によって変化することがあり、表ＩＩに示される数値および評定は、Ｓ３７の評定の後に括弧で示される環境で得られたものである。「ＮＴ」と示される場合、形質が試験されなかったことを意味する。なお、表Ｖでは、新規品種Ｓ３７と従来品種とが直接比較され、これにより、並べて試験された品種間の相対的な相違が明らかとなる。
【０１０６】
【表２−１】
0005982028.tif 000003
【０１０７】
【表２−２】
0005982028.tif 000004
【０１０８】
【表２−３】
0005982028.tif 000005
【０１０９】
【表２−４】
0005982028.tif 000006
【０１１０】
【表２−５】
0005982028.tif 000007
【０１１１】
【表２−６】
0005982028.tif 000008
【０１１２】
【表２−７】
0005982028.tif 000009
【０１１３】
【表２−８】
0005982028.tif 000010
【０１１４】
【表２−９】
0005982028.tif 000011
【０１１５】
【表２−１０】
0005982028.tif 000012
【０１１６】
【表２−１１】
0005982028.tif 000013
【０１１７】
【表２−１２】
0005982028.tif 000014
【０１１８】
【表２−１３】
0005982028.tif 000015
【０１１９】
【表２−１４】
0005982028.tif 000016
【０１２０】
【表２−１５】
0005982028.tif 000017
【０１２１】
【表２−１６】
0005982028.tif 000018
【０１２２】
【表２−１７】
0005982028.tif 000019
【０１２３】
【表２−１８】
0005982028.tif 000020
【０１２４】
【表２−１９】
0005982028.tif 000021
【０１２５】
【表２−２０】
0005982028.tif 000022
【０１２６】
【表２−２１】
0005982028.tif 000023
【０１２７】
【表２−２２】
0005982028.tif 000024
【０１２８】
【表２−２３】
0005982028.tif 000025
【０１２９】
【表２−２４】
0005982028.tif 000026
【０１３０】
【表２−２５】
0005982028.tif 000027
【０１３１】
【表２−２６】
0005982028.tif 000028
【０１３２】
【表２−２７】
0005982028.tif 000029
【０１３３】
【表２−２８】
0005982028.tif 000030
【０１３４】
【表２−２９】
0005982028.tif 000031
【０１３５】
【表２−３０】
0005982028.tif 000032
【０１３６】
【表２−３１】
0005982028.tif 000033
【０１３７】
【表２−３２】
0005982028.tif 000034
【０１３８】
【表２−３３】
0005982028.tif 000035
【０１３９】
【表２−３４】
0005982028.tif 000036
【０１４０】
【表２−３５】
0005982028.tif 000037
【０１４１】
【表２−３６】
0005982028.tif 000038
【０１４２】
米国向けのゴマ品種の開発に当たって、良好な収穫が得られる作物に望ましい８つの特性があった：振盪機粉砕耐性（特性番号２２）、改善された非裂開視覚的評定（特性番号２５）、複合枯死耐性（特性番号３４）、生理学的成熟までの日数（特性番号２９）、ドライダウンでの収穫高（特性番号１０）、種子色（特性番号３２）、植物体全体からの１００個の種子の種子重量（特性番号３３）、および種子油の含有量（特性番号４５）。最初の４つの特性は、品種の選抜において農家が通常考える最も重要な経済的因子であるドライダウンでの収穫高に寄与する。最後の３つの特徴は、種子の市場価値を決定する。
【０１４３】
振盪機粉砕耐性および改善された非裂開視覚的評定は、植物体が悪天候でドライダウンしている間にどの程度種子を保持するかを決定する。
【０１４４】
複合枯死耐性は、植物がその周期を終え、最適な種子充実を有するかどうかを決定する。
【０１４５】
生理学的成熟までの日数は、品種が栽培可能な北限および標高を決定する。
【０１４６】
特性を改善する上で、ドライダウンでの収穫高は、現品種に匹敵するか良好でなければならず、または特定の地理的ニッチもしくは市場ニッチに有益な改善をもたらさなければならない。
【０１４７】
米国および欧州では、市場の９５％超が白色または淡黄褐色の種子を求めるので、種子色は重要である。極東では、金および黒の種子に限定された市場がある。他の全ての色は油市場に使用できるのみである。
【０１４８】
植物体全体からの１００個の種子の種子重量は、種子の市場を決定する。複合枯死耐性の欠如は植物体全体からの１００個の種子の種子重量を低下させうる。乾燥年にほとんど降水のない米国の一部の地域では、水分の欠乏が植物体全体からの１００個の種子の種子重量を減らしうる。
【０１４９】
種子油の含有量は、種子の市場を決定する。複合枯死耐性の欠如は種子油の含有量を低下させうる。窒素に関して肥沃度が低いと種子油の含有量が上昇し、肥沃度が高いと種子油の含有量が低下する。
【０１５０】
Langham, D.R. and T. Wiemers, 2002. “Progress in mechanizing sesame in the US through breeding”, In: J. Janick and A. Whipkey (ed.), Trends in new crops and new uses, ASHS Press, Alexandria, VA.に説明されている、商業用ゴマ品種を開発する上で重要な他の特性がある。分枝型（特性番号１）、植物体の高さ（特性番号５）および第一さく果の高さ（特性番号６）はコンバイン収穫において重要である。さく果領域長（特性番号７）、さく果節対の数（特性番号８）、さく果領域内の平均節間長（特性番号９）、およびさく果当たりの種子重量（特性番号１８）は、潜在的なドライダウンでの収穫高（特性番号１０）を確保する上で重要である。葉の寸法（特性番号１２、１３、１４、および１５）は、最適な個体群を決定する上で重要である。
【０１５１】
葉腋当たりのさく果の数（特性番号２）、さく果当たりの心皮の数（特性番号１６）、さく果の長さ（特性番号１７）、さく果当たりのさく果の重量（特性番号１９）、およびさく果の１ｃｍ当たりのさく果の重量（特性番号２０）は、視覚的な種子の保持（特性番号２１）および改善された非裂開視覚的評定（特性番号２５）に関する育種において重要であり、これらは振盪機粉砕耐性（特性番号２２）の試験ならびにさく果粉砕型（特性番号２３）、非裂開試験（特性番号２４）および改善された非裂開試験（特性番号２６）の判定につながる。
【０１５２】
開花までの日数（特性番号２７）、開花の終了までの日数（特性番号２８）、生理学的成熟までの日数（特性番号２９）および成熟度クラス（特性番号３）は高い相関性があり、その品種の季節学および地理的範囲の決定において重要である。
【０１５３】
直接収穫までの日数（特性番号３０）は、植物体がひと度、生理学的成熟に達すると、収穫高を高めるような天候事象はもはや無く、実質的に収穫高を低下させうる天候事象が多いという点で重要である。乾燥期が短いほど収穫高は上昇する。現在では、環境保護庁によりゴマへの使用に関して収穫補助剤が認められている。収穫補助剤は生理学的成熟時に施用され、早期ドライダウンをもたらす。直接収穫までの日数は、従来ほど重要ではない。植物表現型（特性番号４）は、この系統の全体的可視化を可能とする特性１、２および３をまとめた特性である。
【０１５４】
干ばつに対する耐性（特性番号１１）は、収穫高および種子重量を低下させうる。２００６年に栽培地域で干ばつがあったが、潅漑のために２０００年以降に植えられた苗床で干ばつは見られていない。耐倒伏性（特性番号３１）は、栽培地域で強風が見られる年には重要である。各種耐性の特性（特性番号３５、３６、３７、３８、３９、４０、４１、４２、および４３）は、病虫害からの損失の軽減において重要である。
【０１５５】
過去３７年にわたって、Ｓｅｓａｃｏ社は世界のいたるところから２，９９０の導入種を試験してきた。商業用サンプルを、中国、インド、スーダン、エチオピア、ブルキナファソ、ナイジェリア、モザンビーク、パキスタン、ミャンマー、バングラデシュ、ベトナム、エジプト、メキシコ、グアテマラ、ニカラグア、ベネズエラ、タイ、トルコ、オートボルタ、ウガンダ、マリ、ケニア、インドネシア、スリランカ、アフガニスタン、フィリピン、コロンビア、コートジボワール、ガンビア、ソマリア、エリトリア、パラグアイ、ボリビア、およびエルサルバドルから入手した。さらなる研究用種子は、商業諸国、ならびにオーストラリア、イラク、イラン、日本、ロシア、ヨルダン、イエメン、シリア、モロッコ、サウジアラビア、アンゴラ、アルゼンチン、ペルー、ブラジル、カンボジア、ラオス、スリランカ、ガーナ、ガボン、ギリシャ、イタリア、韓国、リビア、ネパール、ザイール、イギリスおよびタンザニアなどの他の多くの諸国から受け取った。ある国から受け取った研究用種子が別の不特定国に起源していた場合もある。商業用および研究用導入種は全て、粉砕性のさく果粉砕型（特性番号２３）「ＳＨＡ」を有する。
【０１５６】
表ＩＩＩは、表ＩＩから選択された特性を用いて、Ｓ３７と世界の著名栽培品種との特性上の区別を示す。
【０１５７】
【表３−１】
0005982028.tif 000039
【０１５８】
【表３−２】
0005982028.tif 000040
表ＩＩＩは、Ｓ３７が、Ｓ２７、Ｓ３２、Ｓ３３、Ｓ３５、Ｓ３６、Ｓ３８及びＳ３９を除くその他全ての栽培品種および品種から区別されることを示す。表ＩＶは、Ｓ３７をＳ２７、Ｓ３２、Ｓ３３、Ｓ３５、Ｓ３６、Ｓ３８及びＳ３９から区別する追加データを示す。
【０１５９】
【表４】
0005982028.tif 000041
【０１６０】
Ｓ３７と他の分枝型品種の間の本質的な違いは、植物体の高さおよびさく果領域長である。Ｓ３７は、他の品種より背が高く、より長いさく果領域を有する。
【０１６１】
表Ｖは、Ｓ３７と現分枝型品種Ｓ２８、Ｓ３２、Ｓ３５、Ｓ３６、Ｓ３８およびＳ３９に関して表ＩＩの全ての特性を示す。この表は、表ＩＩに挙げられた全ての特性に関するものである。表Ｖの主要な相違点は「Ｄｉｆ」欄に、商業上重要な相違点は「Ｃ」で、形態学的相違点は「Ｍ」で示す。
【０１６２】
【表５−１】
0005982028.tif 000042
【０１６３】
【表５−２】
0005982028.tif 000043
【０１６４】
【表５−３】
0005982028.tif 000044
【０１６５】
【表５−４】
0005982028.tif 000045
【０１６６】
先に述べたように、米国向けのゴマ品種の開発に当たって８つの重要な特性がある：振盪機粉砕耐性（特性番号２２）、改善された非裂開視覚的評定（特性番号２５）、複合枯死耐性（特性番号３４）、生理学的成熟までの日数（特性番号２９）、ドライダウンでの収穫高（特性番号１０）、種子色（特性番号３２）、植物体全体からの１００個の種子の種子重量（特性番号３３）、および種子油の含有量（特性番号４５）。これらの特性は、まず、Ｓ３７がＳｅｓａｃｏ品種（米国で使用されている現品種であるＳ２８、Ｓ３０、Ｓ３２、Ｓ３４、Ｓ３５、Ｓ３６、Ｓ３８、およびＳ３９）に匹敵するものが述べられ、次に、Ｓ３７を区別する他の特性が述べられる。データは、ウバルデでは５反復で、ロレンゾでは２反復で品種を並べて植え付けることに基づく。
【０１６７】
図２は、１９９７〜２０１１年のデータを用い、様々なＳｅｓａｃｏゴマ品種の振盪機粉砕耐性（特性番号２２）を示す。振盪機粉砕耐性は、圃場で乾燥して数か月後の植物により保持されている種子の量に相当する。この基準は１９９７〜１９９８年に最低基準として設定され、耐粉砕性の良好な予測因子となることが分かっている。全ての品種が７０数パーセント〜８０パーセント半ばのレベルの振盪機粉砕耐性を有する。
【０１６８】
Ｓ３７は７１．１％の振盪機粉砕耐性を有し、これは米国特許第６，１００，４５２号で設定された６５％の閾値を超えるので、Ｓ３７は非裂開性品種と見なされる。
【０１６９】
図３は、特許品種の改善された非裂開視覚的評定（特性番号２５）を示す（ウバルデおよびロレンツォ苗床，２０１１年からのデータ）。植物が直接収穫までの日数（特性番号３０）に達した際、植物は振盪機粉砕耐性パーセンテージで表されるものよりも多い種子を保持している。乾燥期に雨、霧、露、または風が無ければ、これらの非裂開性植物は、コンバイン収穫向けにほとんど全ての種子を保持していると考えられる。しかしながら、米国における収穫期の主な天候には、雨、霧、露、および風が含まれる。改善された非裂開視覚的評定は、直接収穫までの日数（理想的収穫期）から４週間後になされる評定に基づき品種を選択するための新たなベンチマークを設定する。
【０１７０】
Ｓ３７が示した改善された非裂開視覚的評定は７．２９（ウバルデ苗床，２０１１年からのデータ）および７．２２（ロレンゾ苗床，２０１１年）であり、これらは米国特許第８，０８０，７０７号で設定された７．０の閾値を超えるので、Ｓ３７は改善された非裂開性品種と見なされる。
【０１７１】
図４は、特許品種の複合枯死耐性（特性番号３４）を示す（全苗床，２０１１〜２０１３年からのデータ）。複合枯死耐性は、３種類の根腐れ菌：フザリウム属(Fusarium)、フィトフトラ属(Phytophthora)、およびマクロフォミア属(Macrophomina)に対する耐性の複合評定である。ほとんどの年で、フザリウム属が枯死の主因である。ゴマが栽培地に初めて導入される際には病害の問題はほとんどないが、時間が経つにつれこれらの真菌の胞子が蓄積し、病害耐性が重要になる。１９８８年、ゴマがウバルデに初めて導入された際には、収穫高は高かった。農家はその後何年も同じ圃場に植付けを行ったところ、収穫高は減少した。
【０１７２】
Ｓ３７は、複合枯死耐性に関して６．３の評定を持ち（ウバルデ苗床，２０１１年からのデータ）、他のほとんどの特許商業品種に匹敵している。５．６７を超える評定は、９０％を超える植物が植物体の頂部まで良好な種子を付けたことを示す。
【０１７３】
図５は、現Ｓｅｓａｃｏゴマ品種の生理学的成熟までの平均日数（特性番号２９）を示す（ウバルデ苗床，２０１１年からのデータ）。米国では、ゴマは現在、南テキサスから中央カンザスまで栽培されている。作物の栽培枠は、地温が上がって春に作物の植付けが可能な最も早い時期、および秋の寒冷な気候の始まりによって決まる。現ゴマ品種は、十分な個体群が確立するために約２１℃の地温、および通常の栽培終了を迎えるためには５℃を超える夜温を必要とする。一般に、地温は、南テキサスでは３月中旬に、中温カンザスでは５月下旬に十分温かくなり、夜温は、南テキサスでは１１月中旬まで、南カンザスでは１０月中旬まで十分温かい。東方向にテキサス(Texa)／オクラホマ／カンザスから大西洋までの州は、南テキサス州およびカンザス極限に入る。寒冷前線はゴマの生長に影響を及ぼすと考えられ、これらが９月中旬からの北の栽培地となる可能性が高い。標高も栽培温度に影響を及ぼしうる。例えば、テキサス州のラボックの東、キャップロックが始まる地点から西へ移動すると、標高はロッキー山脈に近づくにつれ上昇し始める。標高が高いほど、低温降下の開始が早く、春の暖温の開始が遅くなる。全ての年で、温度が許す限り早くゴマを植え付ければ、生理学的成熟までの日数が１０５日以下のラインは、早霜の年でさえ、温度の悪影響を受けない。２３年にわたって収集したデータは、この時の約９６％で、生理学的成熟までの日数が１１５日以下の値を持つゴマは生産をあげたことを示す。ほとんどの栽培地域は、ゴマを植え付ける前に植付け降雨があることに依存するので、品種の生理学的成熟までの日数が早いほど、その植付け日で農家が持つ融通性が大きくなる。地理的地域が異なれば、通常の天候パターンによるゴールが異なりうる。南テキサスでは、生理学的成熟までの日数が１１０日未満の品種が一般に好適であるが、南カンザスでの６月３０日より後の植付けでは、１００日以下といった生理学的成熟までの日数が短い品種を使用することが、必ずしも必要というわけではないが、好ましい。
【０１７４】
Ｓ３７の生理学的成熟までの平均日数は１０３日であり、これは現在のゴマ栽培地域の全てでその植付けを可能とする。早期凍結が起こりうる地域では、予想される凍結の前に生理学的に成熟するような時期にＳ３７を植え付けるように注意しなければならない。
【０１７５】
図６は、特許品種のドライダウンでの平均収穫高（特性番号１０）（２０１３年にウバルデおよびリオホンド苗床で試験）を示す。新品種を発売する上で、もう１つの重要な考慮事項は、収穫高が既存の品種に匹敵するかより良好であるかどうかということである。
【０１７６】
Ｓ３７の収穫高は、典型的な栽培条件下で従来品種の収穫高に匹敵すると思われ、図６に示されるような試験に使用される理想的な条件には及ばない条件下でも匹敵することが判明した。収穫高データは、収穫までの理想的な時間である直接収穫までの日数（特性番号３０）に近接してとる。しかしながら、米国のゴマ栽培地域の秋の天候は、作物を雨、霧、露、および風に曝しながら最大１か月収穫を妨げることがある。それら４つの因子は粉砕性を高め、風は倒伏をもたらしうる。干ばつは収穫高に影響を及ぼしうる。図６に示されるように、ウバルデおよびリオホンド地域からの２０１３年のデータは、１，６６４ｋｇ／ｈａ（ウバルデ苗床，２０１３年）および１，４９０ｋｇ／ｈａ（リオホンド苗床，２０１３年）の収穫高を有するＳ３７は現品種に匹敵することを示す。
【０１７７】
Ｓ３７の種子色（特性番号３２）は淡黄褐色であり、米国の大部分および世界市場に好適である。
【０１７８】
図７は、１９９７〜２０１１年の間の現品種の植物体全体からの１００個の種子の平均種子重量（特性番号３３）を示す。特定の種子重量がある種の種子加工業者および末端使用者によって望まれる特性である場合もあり、商業用仕様が閾値種子重量を必要とする場合もある。
【０１７９】
Ｓ３７種子は他の特許品種（０．２８４グラム／１００種子）より軽く、従って、（米国において）１００種子重量当たり０．３０グラムの閾値を設定している場合が多いゴマ種子のナチュラルトッピング市場においてほとんどの商業用仕様よりも若干低い。しかしながら、Ｓ３７種子は、成分および外国市場に適している。
【０１８０】
図８は、現品種の種子油の含有量（特性番号４５）を示す。商業用油の市場は一般に、契約により、ゴマ種子が少なくとも５０〜５２％の油含量を含有することを要する。油含量が指定の要件よりも低ければ、一般に契約は販売者にペナルティーを科す。現行の商習慣は、ゴマ種子が契約要件よりも高い油含量を有しても販売者の金銭的誘因を含まず、ゴマ種子の油含量が増えることは、事実上、購入者または使用者へのメリットとなりうる。
【０１８１】
Ｓ３７は、５３．２％および５１．９％（ウバルデ２０１０年および２０１１年からのデータ）の油含量を示したので、商業用油の市場用のゴマ油供給源としての使用に適している。
【０１８２】
図９は、シルバーリーフコナジラミに対する耐性（特性番号３９）を示す。この害虫は、高温で蔬菜類などのコナジラミを誘引する他の作物が存在する地域で問題となる。コナジラミ問題を受けうるゴマ栽培地域の例は、一般的に広大な蔬菜類作付けがある南テキサス／下流リオグランデバレー地域、およびプエルトリコである。コナジラミに耐性を持つことは、ゴマ品種に利益を与える。
【０１８３】
Ｓ３７は、十分なコナジラミ耐性を示している。品種Ｓ２６がコナジラミ耐性の比較標準として用いられており、プエルトリコで行われた試験では、Ｓ３７（評定４．０）はＳ２６よりも耐性が低かった。従って、Ｓ３７は、シルバーリーフコナジラミのいる地域には推奨されない。
【０１８４】
図１０は、細菌性黒腐病に対する耐性（特性番号３８）を示す。細菌性黒腐病は、まれではあるが、通常、標高の高い地域で、冷涼な曇天の日がある場合に発生することがある。これらの条件下にあるゴマ栽培面積数は少ないかもしれないが、一部の栽培者にとって耐性はやはり重要でありうる。
【０１８５】
６．３の評定を持つＳ３７は、これらの条件が存在する場合、従前に記載したいくつかの品種よりも低い耐性を示す。
【０１８６】
Ｓ３７は、現行の分枝型品種よりも背が高く（植物体の高さ，特性番号５）、長いさく果領域長（特性番号７）を有する。この品種は、コンバインのヘッダーリールの障害となるほど背が高いわけではない。この過剰な高さは長い栄養生長相と相関があり、干ばつの年に有利となる。
【０１８７】
２０１４年３月１３日にブダペスト条約の規定の下、Ｓｅｓａｃｏ社によりアメリカン・タイプ・カルチャー・コレクション（ＡＴＣＣ），１０８０１  ブルバード大学，マナサス，ヴァージニア州２０１１０−２２０９に、ゴマ植物Ｓ３７の少なくとも２５００粒の種子の寄託が行われ、この寄託物はＡＴＣＣ受託番号ＰＴＡ−１２１０８９を付与された。この寄託物は、３０年間、または最新の請求後５年間、または特許の有効期間のうちいずれかの長い期間、ＡＴＣＣ寄託機関で維持される。万一、アメリカン・タイプ・カルチャー・コレクション（ＡＴＣＣ）に寄託されたゴマ系統Ｓ３７由来の種子が生育不能となっても、寄託物は要求に応じてＳｅｓａｃｏ社により取り替えられる。
【０１８８】
以上、発明を明瞭化および理解のために例示および特性によりある程度詳細に記載してきた。しかしながら、添付の特許請求の範囲によってのみ限定される本発明の範囲内で、特定の変更および修飾が実施されうることは明らかである。
【図１Ａ】
0005982028.tif 000046
【図１Ｂ】
0005982028.tif 000047
【図１Ｃ】
0005982028.tif 000048
【図１Ｄ】
0005982028.tif 000049
【図１Ｅ】
0005982028.tif 000050
【図２】
0005982028.tif 000051
【図３】
0005982028.tif 000052
【図４】
0005982028.tif 000053
【図５】
0005982028.tif 000054
【図６】
0005982028.tif 000055
【図７】
0005982028.tif 000056
【図８】
0005982028.tif 000057
【図９】
0005982028.tif 000058
【図１０】
0005982028.tif 000059